(57)【要約】【課題】より良い構図での撮影を支援する撮像端末、外部端末、撮像システム、及び撮像方法を提供する。【解決手段】演算部２０５は、自端末の位置に基づいて選択された被写体の位置と、自端末の位置及び撮像方向とに基づいて被写体と自端末との相対的な位置関係を演算する。表示部２０１は、演算部２０５が演算した結果に基づいて、自端末の位置又は撮像方向の修正を指示する表示を行う。このように、被写体と自端末との相対的な位置関係に基づいて、自端末の位置又は撮像方向の修正を指示することによって、より良い構図での撮影を支援することができる。【選択図】図２
2011199750.tif 000002
【特許請求の範囲】
【請求項１】
自端末の位置に基づいて選択された被写体の位置と、前記自端末の位置及び撮像方向とに基づいて前記被写体と前記自端末との相対的な位置関係を演算した結果を示す演算結果情報を外部端末から受信する受信部と、
前記演算結果情報に基づいて、前記自端末の位置又は撮像方向の修正を指示する指示部と、
を有する撮像端末。
【請求項２】
自端末の位置に基づいて選択された被写体の位置と、前記自端末の位置及び撮像方向とに基づいて前記被写体と前記自端末との相対的な位置関係を演算する演算部と、
前記演算部が演算した結果に基づいて、前記自端末の位置又は撮像方向の修正を指示する指示部と、
を有する撮像端末。
【請求項３】
前記自端末の位置及び撮像方向を検知するセンサを有し、該センサから前記自端末の位置及び撮像方向を取得する自端末情報取得部と、
前記自端末の位置及び撮像方向の情報を外部端末に送信する送信部と、
を更に有する請求項１に記載の撮像端末。
【請求項４】
前記自端末の位置及び撮像方向を検知するセンサを有し、該センサから前記自端末の位置及び撮像方向を取得する自端末情報取得部を更に有する請求項２に記載の撮像端末。
【請求項５】
前記自端末の位置及び撮像方向の情報を外部端末から受信する受信部を更に有する請求項２に記載の撮像端末。
【請求項６】
被写体ごとの位置を含む被写体情報を外部端末から受信する受信部と、
前記自端末の位置と、前記被写体情報に含まれる被写体の位置とに基づいて被写体を選択する選択部と、
を更に有する請求項２に記載の撮像端末。
【請求項７】
被写体ごとの位置を含む被写体情報から、前記自端末の位置と、前記被写体情報に含まれる被写体の位置とに基づいて選択された被写体の位置を含む情報を外部端末から受信する受信部を更に有する請求項２に記載の撮像端末。
【請求項８】
前記自端末の位置を含む情報を外部端末へ送信する送信部を更に有する請求項７に記載の撮像端末。
【請求項９】
被写体ごとの位置を含む被写体情報を記憶する記憶部と、
前記被写体情報から、前記自端末の位置と、前記被写体情報に含まれる被写体の位置とに基づいて被写体を選択する選択部と、
を更に有する請求項２に記載の撮像端末。
【請求項１０】
前記指示部は、表示、音声、振動、重量の変化のいずれかにより前記自端末の位置又は撮像方向の修正を指示する請求項１又は請求項２に記載の撮像端末。
【請求項１１】
前記指示部による指示に基づいて前記自端末の位置又は撮像方向を修正する駆動機構を有する修正部を更に有する請求項１又は請求項２に記載の撮像端末。
【請求項１２】
前記被写体の位置及び前記自端末の位置は三次元位置であり、前記撮像方向は三次元空間内の方向である請求項１又は請求項２に記載の撮像端末。
【請求項１３】
前記演算部は、前記自端末の位置に基づいて選択された被写体の位置と、該位置に該被写体が存在する時刻と、前記自端末の位置及び撮像方向とに基づいて、所定の時刻における前記被写体と前記自端末との相対的な位置関係を演算する請求項２に記載の撮像端末。
【請求項１４】
前記所定の時刻を設定する設定部を更に有する請求項１３に記載の撮像端末。
【請求項１５】
前記自端末情報取得部は更に、撮像部の状態から撮像画角を検知し、
前記演算部は更に、前記演算結果情報に基づいて、前記被写体が前記撮像画角の外にあるか内にあるかを判定する請求項２に記載の撮像端末。
【請求項１６】
前記修正部は、前記被写体が前記撮像画角の外にある場合にのみ、前記自端末の位置又は撮像方向の修正を指示する請求項１５に記載の撮像端末。
【請求項１７】
前記自端末の位置及び撮像方向を検知するセンサを有し、該センサから前記自端末の位置及び撮像方向を取得する自端末情報取得部と、
前記自端末の位置に基づいて選択された被写体の位置と、前記自端末の位置及び撮像方向とに基づいて前記被写体と前記自端末との相対的な位置関係を演算する演算部と、
前記演算部が演算した結果を示す演算結果情報を請求項１に記載の撮像端末へ送信する送信部と、
を有する外部端末。
【請求項１８】
自端末の位置及び撮像方向の情報を請求項３に記載の撮像端末から受信する受信部と、
前記自端末の位置に基づいて選択された被写体の位置と、前記自端末の位置及び撮像方向とに基づいて前記被写体と前記自端末との相対的な位置関係を演算する演算部と、
前記演算部が演算した結果を示す演算結果情報を請求項３に記載の撮像端末へ送信する送信部と、
を有する外部端末。
【請求項１９】
前記自端末の位置及び撮像方向を検知するセンサを有し、該センサから前記自端末の位置及び撮像方向を取得する自端末情報取得部と、
前記自端末の位置及び撮像方向の情報を請求項５に記載の撮像端末へ送信する送信部と、
を有する外部端末。
【請求項２０】
被写体ごとの位置を含む被写体情報を記憶する記憶部と、
前記被写体情報を請求項６に記載の撮像端末へ送信する送信部と、
を有する外部端末。
【請求項２１】
被写体ごとの位置を含む被写体情報を記憶する記憶部と、
前記被写体情報から、前記自端末の位置と、前記被写体情報に含まれる被写体の位置とに基づいて被写体を選択する選択部と、
選択された被写体の位置を含む情報を請求項７に記載の撮像端末へ送信する送信部と、
を有する外部端末。
【請求項２２】
被写体ごとの位置を含む被写体情報を記憶する記憶部と、
自端末の位置を含む情報を請求項８に記載の撮像端末から受信する受信部と、
前記被写体情報から、前記自端末の位置と、前記被写体情報に含まれる被写体の位置とに基づいて被写体を選択する選択部と、
選択された被写体の位置を含む情報を請求項８に記載の撮像端末へ送信する送信部と、
を有する外部端末。
【請求項２３】
請求項１に記載の撮像端末と、請求項１７に記載の外部端末とを有する撮像システム。
【請求項２４】
請求項３に記載の撮像端末と、請求項１８に記載の外部端末とを有する撮像システム。
【請求項２５】
請求項５に記載の撮像端末と、請求項１９に記載の外部端末とを有する撮像システム。
【請求項２６】
請求項６に記載の撮像端末と、請求項２０に記載の外部端末とを有する撮像システム。
【請求項２７】
請求項７に記載の撮像端末と、請求項２１に記載の外部端末とを有する撮像システム。
【請求項２８】
請求項８に記載の撮像端末と、請求項２２に記載の外部端末とを有する撮像システム。
【請求項２９】
自端末の位置及び撮像方向を検知するセンサを有する自端末情報取得部が前記センサから前記自端末の位置及び撮像方向を取得するステップと、
選択部が、被写体ごとの位置を含む被写体情報から、前記自端末の位置と、前記被写体情報に含まれる被写体の位置とに基づいて被写体を選択するステップと、
演算部が、選択された被写体の位置と、前記自端末の位置及び撮像方向とに基づいて前記被写体と前記自端末との相対的な位置関係を演算するステップと、
前記演算部が演算した結果に基づいて、修正部が前記自端末の位置又は撮像方向の修正を指示するステップと、
を有する撮像方法。
【発明の詳細な説明】
【技術分野】
【０００１】
本発明は、カメラの構図決定の支援を行うための情報を提供する撮像端末、外部端末、撮像システム、及び撮像方法に関する。
【背景技術】
【０００２】
良い構図で撮影するための技術として、特許文献１や特許文献２に示される技術が開示されている。
【０００３】
特許文献１は、ＧＰＳ（グローバルポジショニングシステム）により測位した自端末の位置情報を元に、その場所で推奨とされる構図データを自端末内の推奨構図記録手段から検索し、カメラのリアルタイム映像に重畳して表示する技術である。この技術を利用することで、構図データが存在する地点での撮影においては、技量に関わらず良い構図で写真撮影が行えるようになる。
【０００４】
特許文献２は、ＧＰＳにより測位した自端末の位置情報や現在の日時情報等の撮影条件情報を元に、その撮影条件情報に基づいたサンプル画像を、専用のデータベースから取得して表示する技術である。この技術を利用すれば、構図を決定するためのサンプル画像を時間・場所問わず必要な時に取得して、構図決定の参考にすることができる。
【先行技術文献】
【特許文献】
【０００５】
【特許文献１】特開２００２−１０１１４号公報
【特許文献２】特開２００７−２７９４５号公報
【発明の概要】
【発明が解決しようとする課題】
【０００６】
上記特許文献１，２で開示されている技術を利用することにより、過去に撮影した時の構図と同様な構図での撮影が可能である。しかしながら、過去に撮影した時の構図とは異なる構図で、さらに良い構図があるような場合であっても、特許文献１，２で開示されている技術では、そのような構図での撮影チャンスを逃してしまう可能性がある。
【０００７】
本発明は、上述した課題に鑑みてなされたものであって、より良い構図での撮影を支援する撮像端末、外部端末、撮像システム、及び撮像方法を提供することを目的とする。
【課題を解決するための手段】
【０００８】
本発明は、上記の課題を解決するためになされたもので、自端末の位置に基づいて選択された被写体の位置と、前記自端末の位置及び撮像方向とに基づいて前記被写体と前記自端末との相対的な位置関係を演算した結果を示す演算結果情報を外部端末から受信する受信部と、前記演算結果情報に基づいて、前記自端末の位置又は撮像方向の修正を指示する指示部と、を有する撮像端末である。
【０００９】
また、本発明は、自端末の位置に基づいて選択された被写体の位置と、前記自端末の位置及び撮像方向とに基づいて前記被写体と前記自端末との相対的な位置関係を演算する演算部と、前記演算部が演算した結果に基づいて、前記自端末の位置又は撮像方向の修正を指示する指示部と、を有する撮像端末である。
【００１０】
また、本発明の撮像端末は、前記自端末の位置及び撮像方向を検知するセンサを有し、該センサから前記自端末の位置及び撮像方向を取得する自端末情報取得部と、前記自端末の位置及び撮像方向の情報を外部端末に送信する送信部と、を更に有する。
【００１１】
また、本発明の撮像端末は、前記自端末の位置及び撮像方向を検知するセンサを有し、該センサから前記自端末の位置及び撮像方向を取得する自端末情報取得部を更に有する。
【００１２】
また、本発明の撮像端末は、前記自端末の位置及び撮像方向の情報を外部端末から受信する受信部を更に有する。
【００１３】
また、本発明の撮像端末は、被写体ごとの位置を含む被写体情報を外部端末から受信する受信部と、前記自端末の位置と、前記被写体情報に含まれる被写体の位置とに基づいて被写体を選択する選択部と、を更に有する。
【００１４】
また、本発明の撮像端末は、被写体ごとの位置を含む被写体情報から、前記自端末の位置と、前記被写体情報に含まれる被写体の位置とに基づいて選択された被写体の位置を含む情報を外部端末から受信する受信部を更に有する。
【００１５】
また、本発明の撮像端末は、前記自端末の位置を含む情報を外部端末へ送信する送信部を更に有する。
【００１６】
また、本発明の撮像端末は、被写体ごとの位置を含む被写体情報を記憶する記憶部と、前記被写体情報から、前記自端末の位置と、前記被写体情報に含まれる被写体の位置とに基づいて被写体を選択する選択部と、を更に有する。
【００１７】
また、本発明の撮像端末において、前記指示部は、表示、音声、振動、重量の変化のいずれかにより前記自端末の位置又は撮像方向の修正を指示する。
【００１８】
また、本発明の撮像端末は、前記指示部による指示に基づいて前記自端末の位置又は撮像方向を修正する駆動機構を有する修正部を更に有する。
【００１９】
また、本発明の撮像端末において、前記被写体の位置及び前記自端末の位置は三次元位置であり、前記撮像方向は三次元空間内の方向である。
【００２０】
また、本発明の撮像端末において、前記演算部は、前記自端末の位置に基づいて選択された被写体の位置と、該位置に該被写体が存在する時刻と、前記自端末の位置及び撮像方向とに基づいて、所定の時刻における前記被写体と前記自端末との相対的な位置関係を演算する。
【００２１】
また、本発明の撮像端末は、前記所定の時刻を設定する設定部を更に有する。
【００２２】
また、本発明の撮像端末において、前記自端末情報取得部は更に、撮像部の状態から撮像画角を検知し、前記演算部は更に、前記演算結果情報に基づいて、前記被写体が前記撮像画角の外にあるか内にあるかを判定する。
【００２３】
また、本発明の撮像端末において、前記修正部は、前記被写体が前記撮像画角の外にある場合にのみ、前記自端末の位置又は撮像方向の修正を指示する。
【００２４】
また、本発明は、前記自端末の位置及び撮像方向を検知するセンサを有し、該センサから前記自端末の位置及び撮像方向を取得する自端末情報取得部と、前記自端末の位置に基づいて選択された被写体の位置と、前記自端末の位置及び撮像方向とに基づいて前記被写体と前記自端末との相対的な位置関係を演算する演算部と、前記演算部が演算した結果を示す演算結果情報を前記撮像端末へ送信する送信部と、を有する外部端末である。
【００２５】
また、本発明は、自端末の位置及び撮像方向の情報を前記撮像端末から受信する受信部と、前記自端末の位置に基づいて選択された被写体の位置と、前記自端末の位置及び撮像方向とに基づいて前記被写体と前記自端末との相対的な位置関係を演算する演算部と、前記演算部が演算した結果を示す演算結果情報を前記撮像端末へ送信する送信部と、を有する外部端末である。
【００２６】
また、本発明は、前記自端末の位置及び撮像方向を検知するセンサを有し、該センサから前記自端末の位置及び撮像方向を取得する自端末情報取得部と、前記自端末の位置及び撮像方向の情報を前記撮像端末へ送信する送信部と、を有する外部端末である。
【００２７】
また、本発明は、被写体ごとの位置を含む被写体情報を記憶する記憶部と、前記被写体情報を前記撮像端末へ送信する送信部と、を有する外部端末である。
【００２８】
また、本発明は、被写体ごとの位置を含む被写体情報を記憶する記憶部と、前記被写体情報から、前記自端末の位置と、前記被写体情報に含まれる被写体の位置とに基づいて被写体を選択する選択部と、選択された被写体の位置を含む情報を前記撮像端末へ送信する送信部と、を有する外部端末である。
【００２９】
また、本発明は、被写体ごとの位置を含む被写体情報を記憶する記憶部と、自端末の位置を含む情報を前記撮像端末から受信する受信部と、前記被写体情報から、前記自端末の位置と、前記被写体情報に含まれる被写体の位置とに基づいて被写体を選択する選択部と、選択された被写体の位置を含む情報を前記撮像端末へ送信する送信部と、を有する外部端末である。
【００３０】
また、本発明は、前記撮像端末と、前記外部端末とを有する撮像システムである。
【００３１】
また、本発明は、自端末の位置及び撮像方向を検知するセンサを有する自端末情報取得部が前記センサから前記自端末の位置及び撮像方向を取得するステップと、選択部が、被写体ごとの位置を含む被写体情報から、前記自端末の位置と、前記被写体情報に含まれる被写体の位置とに基づいて被写体を選択するステップと、演算部が、選択された被写体の位置と、前記自端末の位置及び撮像方向とに基づいて前記被写体と前記自端末との相対的な位置関係を演算するステップと、前記演算部が演算した結果に基づいて、修正部が前記自端末の位置又は撮像方向の修正を指示するステップと、を有する撮像方法である。
【発明の効果】
【００３２】
本発明によれば、被写体と自端末との相対的な位置関係に基づいて、前記自端末の位置又は撮像方向の修正を指示することによって、より良い構図での撮影を支援することができる。
【図面の簡単な説明】
【００３３】
【図１】本発明の第１の実施形態による撮像システムの概要を説明するための説明図である。
【図２】本発明の第１の実施形態による撮像装置の構成を示すブロック図である。
【図３】本発明の第１の実施形態における撮像装置の動作を示すフローチャートである。
【図４】本発明の第１の実施形態における撮像状態変更情報通知処理を示すフローチャートである。
【図５】本発明の第１の実施形態における被写体リストを示す参考図である。
【図６】本発明の第２の実施形態による撮像システムの概要を説明するための説明図である。
【図７】本発明の第２の実施形態による撮像装置の構成を示すブロック図である。
【図８】本発明の第２の実施形態による撮影支援装置の構成を示すブロック図である。
【図９】本発明の第２の実施形態による撮像装置の動作を示すフローチャートである。
【図１０】本発明の第２の実施形態による撮影支援装置の動作を示すフローチャートである。
【図１１】本発明の第２の実施形態における被写体リストを示す参考図である。
【図１２】本発明の第２の実施形態における被写体情報取得処理を示すフローチャートである。
【図１３】本発明の第２の実施形態における被写体位置予測情報演算処理を示すフローチャートである。
【図１４】本発明の実施形態の変形例における撮像装置の構成を示すブロック図である。
【図１５】本発明の実施形態の変形例における撮影支援装置の構成を示すブロック図である。
【図１６】本発明の実施形態の変形例における撮像システムの構成を示す構成図である。
【図１７】本発明の実施形態の変形例における自動調整の様子を示す参考図である。
【図１８】本発明の実施形態の変形例における撮像装置の構成を示すブロック図である。
【発明を実施するための形態】
【００３４】
以下、図面を参照し、本発明の実施形態を説明する。
【００３５】
（第１の実施形態）
まず、本発明の第１の実施形態を説明する。図１は、第１の実施形態による撮像の様子を示している。第１の実施形態における撮像システムは、リアルタイム映像の範囲内に存在しない被写体をリアルタイム映像の範囲内に表示させるための支援を行うシステムの一例である。なお、第１の実施形態において「リアルタイム映像」とは、撮像部で撮像された映像であって、順次表示部に表示される映像（動画像）のことをいう。
【００３６】
図１に示す例は、ユーザ１００が撮像装置１０１を利用してリアルタイム映像１０２を取得し、取得したリアルタイム映像１０２の範囲内に被写体１０３が存在するかどうかの判定を撮像装置１０１で行い、リアルタイム映像１０２の範囲内に被写体１０３が存在しない場合には、被写体１０３が存在する方向をリアルタイム映像１０２に重畳して通知を行う様子を示している。
【００３７】
被写体１０３は、第１の実施形態では山であるが、位置が演算可能な対象物であればよく、山に限定されるものではない。図１（ａ）に示す例は、撮像装置１０１により取得したリアルタイム映像１０２の範囲内に被写体１０３が存在しない場合において、被写体１０３が存在する方向を示す矢印１０４をリアルタイム映像１０２に重畳表示して、ユーザ１００に通知している様子を示している。
【００３８】
図１（ｂ）に示す例は、撮像装置１０１により取得したリアルタイム映像１０２の範囲内に被写体１０３が存在する場合におけるリアルタイム映像１０２の様子を示している。なお、被写体が存在する方向の通知方法として、図１（ａ）では矢印の表示により通知を行っているが、通知方法は矢印の表示のみに限定されるものではなく、例えばＬＥＤの点滅による通知や、ＬＥＤの色の変化による通知、音声ガイダンスによる通知、重量の変化による通知、振動による通知、文字や記号による通知等、この他にも様々な通知方法が挙げられる。
【００３９】
図２は、第１の実施形態による撮像装置１０１の構成を示している。図２を基に撮像装置１０１の構成を説明する。図２に示す撮像装置１０１は、撮像部２００と、表示部２０１と、ユーザインタフェース部２０２と、自端末情報取得部２０３と、被写体情報取得部２０４と、演算部２０５と、処理部２０６と、記録部２０７とを備える。
【００４０】
撮像部２００は、被写体を撮像し、リアルタイム映像の取得を行う。表示部２０１は、撮像部２００により取得したリアルタイム映像を表示し、リアルタイム映像内に被写体が存在しない場合には被写体が存在する方向を通知する。ユーザインタフェース部２０２は、被写体の選択や被写体の存在する方向の通知開始命令等のユーザ入力を受け付ける。
【００４１】
自端末情報取得部２０３は、撮像装置１０１の位置情報、撮像装置１０１が向いている方位を示す方位情報、撮像装置１０１の仰俯角情報、及び撮像装置１０１の画角情報を取得する。より具体的には、自端末情報取得部２０３は、例えばＧＰＳセンサを備えており、ＧＰＳセンサから撮像装置１０１の位置情報を取得する。また、自端末情報取得部２０３は、例えば方位センサ（地磁気センサ）を備えており、方位センサから方位情報を取得する。また、自端末情報取得部２０３は、例えば加速度センサを備えており、加速度センサから仰俯角情報を取得する。また、自端末情報取得部２０３は、撮像部２００におけるレンズの状態を検出し、画角情報を取得する。なお、撮像装置１０１の位置情報及び方位情報に関しては、撮像装置１０１の外部に配置されたＧＰＳセンサや方位センサ等から取得することも可能である。
【００４２】
被写体情報取得部２０４は、被写体の位置情報を取得する。演算部２０５は、自端末情報取得部２０３及び被写体情報取得部２０４からの情報に基づいて、被写体を撮影するために必要とされる自端末の位置の変化や撮像方向の変更に関する情報を演算し、演算結果を処理部２０６へ出力する。処理部２０６は、演算部２０５からの情報に基づいて、被写体の存在する方向を通知する制御を行う。記録部２０７は、被写体の情報をリスト化した被写体リスト、ユーザによって選択された被写体を特定する被写体特定情報、及びリアルタイム映像等を記録する。なお、表示部２０１は処理部２０６の一つである。
【００４３】
図３は、第１の実施形態における撮像装置１０１の動作を示している。以下、図３を基に第１の実施形態における撮像装置１０１の動作を説明する。
【００４４】
撮像装置１０１は、被写体位置通知命令が発行されると、被写体位置通知動作を開始する（ステップＳ３００）。なお、第１の実施形態においては、ユーザインタフェース部２０２を利用したユーザによる通知開始の選択、或いは撮像装置１０１の電源の投入により被写体位置通知命令が発行されるものとするが、被写体位置通知命令が発行される条件はこれらに限定されるものではなく、撮像装置１０１に特定の衝撃を与えることや、特定の画像の認識により発行される構成でもよく、この他にも様々な手段が考えられる。
【００４５】
処理部２０６は、被写体位置通知命令を受け付けると、自端末情報取得部２０３から撮像装置１０１の位置情報を取得し（ステップＳ３０１）、取得した撮像装置１０１の位置情報を被写体情報取得部２０４に通知する。被写体情報取得部２０４は、取得した撮像装置１０１の位置情報が示す位置で撮影が行える被写体の候補を、記録部２０７に保存されている被写体リストから取得して、処理部２０６に通知する。例えば、撮像装置１０１の位置から所定距離内に存在する被写体の候補が被写体リストから取得される。処理部２０６は、取得した被写体の候補を表示部２０１に表示する（ステップＳ３０２）。
【００４６】
図５は、第１の実施形態における被写体リストの一例を示している。図５に示すように、被写体リストでは、既知の被写体の各種情報（サムネイル、カテゴリ、名称、経度、緯度、高度の情報）が関連付けられている。なお、被写体リストには他のユーザにより撮影された写真や、写真のタグ情報等を関連付けても良く、関連付けられている情報は図５に示す情報に限定されるものではない。
【００４７】
処理部２０６は、ユーザインタフェース部２０２がユーザ入力を受け付け、被写体が決定されると、選択された被写体を特定する被写体特定情報を記録部２０７に保存する（ステップＳ３０３）。なお、被写体特定情報は、被写体の位置情報や被写体の名称など、被写体を特定できる情報であれば何でも良い。
【００４８】
処理部２０６は、被写体特定情報の保存後、自端末の位置又は撮像方向の変更を指示する自端末撮像状態変更情報を取得するために、演算部２０５に対して撮像状態演算命令を発行する。演算部２０５は撮像状態演算命令を受け付けると、被写体の存在する方向を演算し、撮像状態変更情報を処理部２０６へ発行する。ここで発行される撮影状態変更情報は、被写体がリアルタイム映像の表示範囲内に存在する場合には、被写体の存在する方向を示す情報を含まず、存在しない場合には、被写体の存在する方向を示す情報を含むものとする。処理部２０６は、演算部２０５から撮像状態変更情報を取得した後、撮像状態変更情報に応じて表示部２０１に矢印等を表示することにより、被写体の存在する方向の通知を行う（ステップＳ３０４）。これにより、ユーザに対して、撮像装置１０１の位置や撮像方向の変更を促すことができる。なお、ステップＳ３０４で示されている、撮像状態変更情報通知処理の詳細に関しては後述する。
【００４９】
処理部２０６は、撮像状態変更情報の通知後、被写体変更命令が発行されているかどうかを判定する。被写体変更命令が発行されている場合は処理がステップＳ３０１へ移行し、被写体の選択から再度同じ処理を行う。被写体変更命令が発行されていない場合はステップＳ３０６へ処理が移行する（ステップＳ３０５）。なお、第１の実施形態においては、ユーザインタフェース部２０２を利用した、ユーザによる被写体変更の選択を被写体変更命令とする。
【００５０】
処理部２０６は、被写体変更命令が発行されていない場合は、続いて通知終了命令がユーザインタフェース部２０２から発行されているかどうかを判定する。通知終了命令が発行されている場合は被写体の位置情報の通知が終了し、発行されていない場合は再度ステップＳ３０４へ処理が移行する（ステップＳ３０６）。
【００５１】
なお、第１の実施形態においては、ユーザインタフェース部２０２を利用した、ユーザによる通知終了の選択、或いは撮像装置１０１の電源の切断により通知終了命令が発行されるものとするが、通知終了命令が発行される条件はこれらに限定されるものではなく、撮像装置１０１に特定の衝撃を与えることや、特定の画像の認識により発行される構成でもよく、この他にも様々な手段が考えられる。
【００５２】
図４は、ステップＳ３０４に示す撮像状態変更情報通知処理の詳細を示している。  演算部２０５は、処理部２０６から撮像状態演算命令を受け付けると、被写体情報取得部２０４に対して、被写体情報を要求する被写体要求命令を発行する。被写体情報取得部２０４は、被写体要求命令を受け付けると、記録部２０７に記録してある被写体特定情報が示す被写体と一致する被写体を、記録部２０７に保存してある被写体リストから検索し、検索した被写体の位置情報を被写体リストから取得し、演算部２０５に通知する（ステップＳ４００）。なお、第１の実施形態においては、被写体の存在する緯度、経度、高度を被写体の位置情報とする。
【００５３】
演算部２０５は、被写体の位置情報を取得した後、自端末情報取得部２０３から撮像装置１０１の自端末情報を取得する（ステップＳ４０１）。なお、第１の実施形態においては、撮像装置１０１の存在する緯度、経度、高度、及び撮像装置１０１の仰俯角、方位、画角を撮像装置１０１の自端末情報とする。
【００５４】
演算部２０５は、撮像装置１０１の位置情報を取得した後、撮像装置１０１と被写体の緯度と経度に基づいて、撮像装置１０１の位置を原点とした時の、被写体までの距離と被写体の存在する方位を演算する（ステップＳ４０２）。演算部２０５は、更に撮像装置１０１と被写体の高度、及び撮像装置１０１から被写体までの距離に基づいて、撮像装置１０１の位置を原点とした時の、被写体の仰俯角を演算する（ステップＳ４０３）。
【００５５】
演算部２０５は、撮像装置１０１の位置を原点とした時の、被写体の存在する方位と仰俯角を演算した後、撮像装置１０１の仰俯角、方位、及び画角から、撮像装置１０１が取得するリアルタイム映像の表示範囲を演算し（ステップＳ４０４）、被写体がリアルタイム映像の表示範囲内に存在するかどうかを判定する（ステップＳ４０５）。
【００５６】
演算部２０５は、被写体がリアルタイム映像の表示範囲内に存在する場合には、処理部２０６に対し、被写体の存在する方向を示す情報を含まない撮像状態変更情報を発行し、撮像状態変更情報通知処理を終了する。演算部２０５は、被写体がリアルタイム映像の表示範囲内に存在しない場合には、リアルタイム映像の表示範囲と、撮像装置１０１の位置を原点とした時に被写体が存在する仰俯角、方位とに基づいて、被写体の存在する方向を演算する（ステップＳ４０６）。
【００５７】
演算部２０５は、被写体の存在する方向を演算した後、被写体の存在する方向を示す情報を含む撮像状態変更情報を処理部２０６に発行する。処理部２０６は、受け付けた撮像状態変更情報に基づいて、被写体の存在する方向を、撮像装置１０１が取得したリアルタイム映像に重畳して表示部７０１に表示し、撮像状態変更情報通知処理を終了する（ステップＳ４０７）。
【００５８】
このように、撮像装置１０１を利用することにより、どのような状況においても所定の被写体の位置を特定することができる。そして、被写体がリアルタイム映像の表示範囲内に存在しない場合に、被写体の存在する方向を通知することによって、ユーザが被写体をリアルタイム映像の範囲内に容易におさめることが可能となる。
【００５９】
また、撮像装置１０１の位置、仰俯角、方位、及び画角を含む自端末情報と、被写体の位置を含む被写体情報とを利用して演算された、被写体を撮像するために必要な撮像装置１０１の位置又は撮像方向の変更に関する情報を、表示等の様々な方法で出力することで、被写体の位置情報を通知することができる。よって、より良い構図での撮影を支援することができる。
【００６０】
また、撮像装置１０１及び被写体の位置として三次元位置を利用することで、撮像装置１０１の仰俯角に関する演算も行うことができるため、被写体が存在する方向を三次元で表現することができる。
【００６１】
また、撮像装置１０１の画角を利用して、被写体がリアルタイム映像の範囲内に存在するかどうかの判定が行えるようになるため、被写体がリアルタイム映像の範囲内に存在しない場合にのみ、被写体が存在する方向を通知することができ、撮像装置１０１の処理の負荷が低減される。
【００６２】
また、撮像装置１０１は、被写体を撮像するために必要な自端末情報の取得から被写体が存在する方向の演算までを全て自端末で行うことができるため、一部の処理を他の装置で行う場合と比較して、別筐体間のデータの受け渡しのタイムラグを無くすことができる。
【００６３】
（第２の実施形態）
次に、本発明の第２の実施形態を説明する。図６は、第２の実施形態による撮像の様子を示している。第２の実施形態による撮像システムは、所定の時刻に被写体が存在する位置を予測して、リアルタイム映像に重畳して表示することで、仕掛け撮りのように所定の時刻の被写体の位置を予測して構図決定を行う際の支援を行うシステムの一例である。
【００６４】
図６に示す例は、撮影支援装置６０２を付帯したユーザ６００が、撮像装置６０１を利用してリアルタイム映像６０３を取得し、撮影支援装置６０２から送信される、所定の時刻６０４に被写体候補６０５ａ，６０５ｂ，６０５ｃが存在する位置を示す位置情報をリアルタイム映像に重畳して表示を行う様子を示している。第２の実施形態では、被写体６０６を指定して、被写体６０６がリアルタイム映像６０３の範囲内に存在する時刻と位置を予測し、それらの情報を重畳して表示を行うことも可能である。また、第２の実施形態では、リアルタイム映像６０３の範囲内に近未来に存在する被写体６０７ａ，６０７ｂ，６０７ｃを予測して、それらの被写体が範囲内に存在する時刻と位置をリアルタイム映像６０３に重畳して表示することも可能である。
【００６５】
撮影支援装置６０２は、無線通信が可能な通信端末であり、ユーザ６００に携帯されているものとする。なお、第２の実施形態においては、撮影支援装置６０２は携帯電話とするが、無線通信が可能な通信端末であればよく、特に携帯電話のみに限定されるものではない。
【００６６】
被写体候補６０５ａ，６０５ｂ，６０５ｃは、所定の時刻６０４における位置が予測できる被写体の候補であり、第２の実施の形態においてはそれぞれ、太陽、飛行機、電車とする。これらの被写体候補は、所定の時刻の位置が予測できる被写体であればよく、特に上記の各被写体のみに限定されるものではない。
【００６７】
被写体６０６は、所定の時刻の位置が予測できる被写体であり、第２の実施形態においては太陽とするが、所定の時刻の位置が予測できる被写体であればよく、特に太陽のみに限定されるものではない。
【００６８】
被写体６０７ａ，６０７ｂ，６０７ｃは、近未来にリアルタイム映像６０３の範囲内に存在するとされる被写体であり、第２の実施形態においてはそれぞれ、太陽、飛行機、電車とする。これらの被写体は、近未来にリアルタイム映像６０３の範囲内に存在するとされる被写体であればよく、特に上記の各被写体のみに限定されるものではない。
【００６９】
図６（ａ）に示す例は、撮影支援装置６０２を付帯したユーザ６００が、撮像装置６０１を利用してリアルタイム映像６０３を取得している様子を示している。図６（ｂ）に示す例は、所定の時刻６０４における被写体候補の位置情報を演算し、リアルタイム映像６０３の範囲内の被写体候補６０５ａ，６０５ｂ，６０５ｃをリアルタイム映像６０３に重畳して表示している様子を示している。
【００７０】
図６（ｃ）に示す例は、所定の被写体６０６がリアルタイム映像６０３の範囲内に存在する時刻と位置情報を演算し、リアルタイム映像６０３に重畳して表示している様子を示している。図６（ｄ）に示す例は、近未来にリアルタイム映像６０３の範囲内に存在すると予測される被写体候補の、リアルタイム映像の範囲内に存在する時刻と位置情報を演算し、リアルタイム映像６０３に重畳して表示している様子を示している。図６（ｅ）に示す例は、所定の被写体６０８が所定の時刻６０９に存在する位置情報を演算し、被写体６０８がリアルタイム映像６０３の範囲内に存在した場合にリアルタイム映像６０３に重畳して表示している様子を示している。
【００７１】
図７は、第２の実施形態による撮像装置６０１の構成を示している。図７を基に撮像装置６０１の構成を説明する。図７に示す撮像装置６０１は、撮像部７００と、表示部７０１と、ユーザインタフェース部７０２と、設定部７０３と、処理部７０４と、記録部７０５と、自端末情報取得部７０６と、通信部７０７と、アンテナ７０８とを備える。
【００７２】
撮像部７００は、被写体を撮像し、リアルタイム映像の取得を行う。表示部７０１は、撮像部７００により取得したリアルタイム映像を表示すると共に、処理部７０４より出力される、所定の時刻にリアルタイム映像の範囲内に存在する被写体候補の位置、或いは特定の被写体がリアルタイム映像の範囲内に存在する位置と時間、或いは近未来にリアルタイム映像内に存在する被写体の位置と時刻を示す被写体位置予測情報を表示する。ユーザインタフェース部７０２は、被写体の位置予測の開始・終了等のユーザからの入力を受け付ける。
【００７３】
設定部７０３は、予測時刻や予測対象となる被写体を自動で設定する。処理部７０４は、撮影支援装置６０２から取得した被写体位置予測情報、及び設定部７０３により設定された時刻情報を表示部７０１へ出力する制御等を行う。記録部７０５はリアルタイム映像等を記録する。自端末情報取得部７０６は、撮像装置６０１の位置情報、撮像装置６０１が向いている方位を示す方位情報、撮像装置６０１の仰俯角情報、及び撮像装置６０１の画角情報を取得する。これらの情報の取得方法は第１の実施形態と同様である。通信部７０７は、撮影支援装置６０２を含む外部の通信装置と無線通信を行う。アンテナ７０８は無線通信のための電波の送受信を行う。
【００７４】
図８は、第２の実施形態による撮影支援装置６０２の構成を示している。本図を基に撮影支援装置６０２の構成を説明する。図８に示す撮影支援装置６０２は、被写体情報取得部８００と、記録部８０１と、演算部８０２と、通信部８０３と、アンテナ８０４とを備える。
【００７５】
被写体情報取得部８００は、所定の時刻における被写体の位置情報を演算するために必要とされる被写体情報を記録部８０１から取得する。記録部８０１は、被写体情報を含む被写体リストを記録する。演算部８０２は、撮像装置６０１から取得した、撮像装置６０１の位置、方位、仰俯角、画角を特定する自端末情報、及び被写体情報から、被写体位置予測情報を演算する。通信部８０３は、撮像装置６０１を含む外部の通信装置と無線通信を行う。アンテナ８０４は無線通信のための電波の送受信を行う。
【００７６】
図９は、第２の実施形態における撮像装置６０１の動作を示している。図９を基に撮像装置６０１の動作を説明する。
【００７７】
撮像装置６０１は、被写体の位置を予測する撮影支援動作を開始する命令である被写体位置予測開始命令が発行されると被写体位置予測動作を開始する（ステップＳ９００）。なお、第２の実施形態においては、撮像装置６０１の電源の投入により、被写体位置予測命令が発行されるものとするが、被写体位置予測命令が発行される条件はこれらに限定されるものではなく、撮像装置１０１に特定の衝撃を与えることや、特定の画像の認識や、ユーザインタフェース部７０２を利用したユーザによる被写体位置予測の開始の選択により被写体位置予測命令が発行される構成でもよく、この他にも様々な手段が考えられる。
【００７８】
処理部７０４は、被写体位置予測命令が発行されると、自端末情報取得部７０６から自端末の位置情報を取得し（ステップＳ９０１）、通信部７０７及びアンテナ７０８を経由して撮影支援装置６０２へ位置情報を送信する（ステップＳ９０２）。処理部７０４は、撮影支援装置６０２へ位置情報を送信した後、撮像装置６０１の位置において撮影可能な被写体をリスト化した被写体候補リストを、撮影支援装置６０２から通信部７０７及びアンテナ７０８を経由して受信する（ステップＳ９０３）。処理部７０４は、被写体候補リストを取得すると、表示部７０１に被写体候補リストを表示する。
【００７９】
処理部７０４は、ユーザによりユーザインタフェース部７０２を利用して被写体が選択されると（ステップＳ９０４）、選択された被写体を特定する被写体特定情報を、通信部７０７及びアンテナ７０８を経由して撮影支援装置６０２へ送信する（ステップＳ９０５）。なお、第２の実施形態においては被写体を特定しない場合もあり、その場合には被写体を特定する情報を含まない被写体特定情報を撮影支援装置６０２へ送信する。
【００８０】
処理部７０４は、被写体特定情報を送信した後、ユーザによりユーザインタフェース部７０２を利用して、被写体が存在する位置を予測する時刻を特定する予測時刻設定情報の設定が行われると（ステップＳ９０６）、設定した予測時刻設定情報を、通信部７０７及びアンテナ７０８を経由して撮影支援装置６０２へ送信する（ステップＳ９０７）。なお、第２の実施形態においては予測時刻を設定しない場合もあり、その場合には予測時刻を特定する情報を含まない予測時刻設定情報を撮影支援装置６０２へ送信する。また、第２の実施形態においては、予測時刻はユーザインタフェース部７０２を利用してユーザにより設定されるものであるが、被写体に応じて自動で設定部７０３により予測時刻の設定が行われる構成でもよく、ユーザによる設定に限定されるものではない。
【００８１】
処理部７０４は、通信部７０７及びアンテナ７０８を経由して、撮影支援装置６０２から自端末情報送信命令を受信すると（ステップＳ９０８）、自端末情報取得部７０６から自端末情報を取得し（ステップＳ９０９）、通信部７０７及びアンテナ７０８を経由して撮影支援装置６０２へ自端末情報を送信する（ステップＳ９１０）。なお、第２の実施形態においては、撮像装置６０１の位置、仰俯角、方位、及び画角情報を自端末情報とする。
【００８２】
処理部７０４は、自端末情報を撮影支援装置６０２へ送信した後、予測時刻設定情報で特定される予測時刻において、被写体特定情報で特定される被写体が存在する位置を示す被写体位置予測情報を、撮影支援装置６０２から通信部７０７及びアンテナ７０８を経由して受信する（ステップＳ９１１）。処理部７０４は、被写体位置予測情報を受信した後、撮像装置６０１が取得したリアルタイム映像に被写体位置予測情報を重畳して表示部７０１に表示する（ステップＳ９１２）。被写体位置予測情報には所定の時刻における被写体のリアルタイム映像内での位置情報が含まれており、リアルタイム映像内に被写体が存在する場合には、この位置情報が示す映像内の位置に被写体（図６の被写体候補６０５ａ，６０５ｂ，６０５ｃ、被写体６０６、被写体６０７ａ，６０７ｂ，６０７ｃ）が表示される。
【００８３】
処理部７０４は、被写体位置予測情報を表示した後、予測する時刻を変更する命令である予測時刻変更命令が発行されているかどうかを判定する。予測時刻変更命令が発行されていた場合はステップＳ９０６に処理が移行し、予測時刻の設定から再度処理を行う（ステップＳ９１３）。
【００８４】
処理部７０４は、予測時刻変更命令が発行されていなかった場合には、位置予測を行う対象となる被写体を変更する被写体変更命令が発行されているかどうかを判定する。被写体変更命令が発行されていた場合にはステップＳ９０１に処理が移行し、撮像装置６０１の位置情報の取得から再度処理を行う（ステップＳ９１４）。
【００８５】
処理部７０４は、被写体変更命令が発行されていなかった場合には、被写体の位置を予測する撮影支援を終了する命令である被写体位置予測終了命令が発行されているかどうかを判定する。被写体位置予測終了命令が発行されていなかった場合はステップＳ９０９に処理が移行し、自端末情報の取得から再度処理を行う。処理部７０４は、被写体変更命令が発行されていた場合は被写体位置予測動作を終了する（ステップＳ９１５）。
【００８６】
なお、第２の実施形態では、撮像装置６０１の電源の切断により、被写体位置予測終了命令が発行されるものとするが、被写体位置予測命令が発行される条件はこれらに限定されるものではなく、撮像装置１０１に特定の衝撃を与えることや、特定の画像の認識や、ユーザインタフェース部７０２を利用したユーザによる被写体位置予測の終了の選択により発行される構成でもよく、この他にも様々な手段が考えられる。
【００８７】
図１０は、第２の実施形態における撮影支援装置６０２の動作を示している。図１０を基に撮影支援装置６０２の動作を説明する。
【００８８】
撮影支援装置６０２は、ステップＳ９１１で示す被写体位置予測情報を撮像装置６０１へ提供する動作を開始する命令である撮影支援開始命令を受け付けると、被写体位置予測情報の提供を開始する（ステップＳ１０００）。なお、第２の実施形態においては、撮影支援装置６０２の電源の投入により撮影支援開始命令が発行されるものとするが、撮影支援開始命令が発行される条件はこれに限定されるものではなく、撮影支援装置６０２に特定の衝撃を与えることや、撮像装置６０１からの特定の情報の受信により撮影支援開始命令が発行される構成でもよく、この他にも様々な手段が考えられる。
【００８９】
演算部８０２は、撮影支援開始命令を受け付けた撮影支援装置６０２が動作を開始すると、通信部８０３及びアンテナ８０４を経由して、撮像装置６０１から送信される撮像装置６０１の位置情報を受信する（ステップＳ１００１）。演算部８０２は、撮像装置６０１の位置情報に基づいて、撮像装置６０１の付近に存在する被写体の候補を、記録部８０１に保存されている被写体リストから検索する（ステップＳ１００２）。この検索により、例えば撮像装置６０１の位置から所定距離内に存在する被写体の候補が被写体リストから抽出される。演算部８０２は、検索により抽出した被写体候補のリストである被写体候補リストを、通信部８０３及びアンテナ８０４を経由して撮像装置６０１へ送信する（ステップＳ１００３）。
【００９０】
図１１は、第２の実施形態における被写体リストの一例を示している。図１１に示すように、被写体リストは、まずカテゴリに分類され、更にカテゴリ内で固有の被写体に分類されており、各被写体に対して所定の時刻における被写体の位置を予測するための被写体情報（移動経路や、軌道、経由地の時刻等の情報）が関連付けられているものとするが、被写体リストはこれに限定されるものではない。
【００９１】
演算部８０２は、被写体候補リストを撮像装置６０１へ送信した後、撮像装置６０１から通信部８０３及びアンテナ８０４を経由して、選択された被写体を特定する被写体特定情報を受信する（ステップＳ１００４）。演算部８０２は、被写体特定情報を取得した後、通信部８０３及びアンテナ８０４を経由して、撮像装置６０１から設定された予測時刻設定情報を受信する（ステップＳ１００５）。
【００９２】
演算部８０２は、予測時刻設定情報を取得した後、被写体特定情報と、予測時刻設定情報と、被写体候補リストの各情報とに応じて、被写体情報を取得する（ステップＳ１００６）。なお、ステップＳ１００６の処理に関しては後述する。
【００９３】
演算部８０２は、被写体情報を取得した後、撮像装置６０１から自端末情報を取得するための命令である自端末情報送信命令を、通信部８０３及びアンテナ８０４を経由して撮像装置６０１へ送信し（ステップＳ１００７）、撮像装置６０１から送信される自端末情報を受信する（ステップＳ１００８）。
【００９４】
演算部８０２は、自端末情報を取得した後、自端末情報と、被写体情報と、予測時刻設定情報の各情報とを利用して、被写体位置予測情報を演算する（ステップＳ１００９）。なお、ステップＳ１００９に示す被写体位置予測情報演算処理に関しては後述する。演算部８０２は、演算した被写体位置予測情報を、通信部８０３及びアンテナ８０４を経由して撮像装置６０１へ送信する（ステップＳ１０１０）。
【００９５】
演算部８０２は、被写体位置予測情報を撮像装置６０１へ送信した後、撮像装置６０１から、被写体の位置を予測する時刻を変更する命令である予測時刻変更通知を受信したかどうかを判定する。演算部８０２は、予測時刻変更通知を受信していた場合はステップＳ１００５に示す予測時刻設定情報の受信から再度処理を行う（ステップＳ１０１１）。
【００９６】
演算部８０２は、予測時刻変更通知を受信していなかった場合は、撮像装置６０１から、位置の予測を行う対象である被写体を変更する命令である被写体変更通知を受信したかどうかを判定する。演算部８０２は、被写体変更通知を受信していた場合はステップＳ１００１に示す撮像装置６０１の位置情報の取得から再度処理を行う（ステップＳ１０１２）。
【００９７】
演算部８０２は、被写体変更通知を受信していなかった場合は、被写体位置予測情報を撮像装置６０１へ提供する動作を終了する命令である撮影支援終了命令が発行されたかどうかを判定する。演算部８０２は、撮影支援終了命令が発行されていなかった場合はステップＳ１００８に示す撮像装置の自端末情報の取得から再度処理を行う。演算部８０２は、撮影支援終了命令が発行されていた場合は被写体位置予測情報の提供を終了する（ステップＳ１０１３）。
【００９８】
なお、第２の実施形態においては、撮影支援装置６０２の電源の切断により撮影支援終了命令が発行されるものとするが、撮影支援終了命令が発行される条件はこれに限定されるものではなく、撮像装置６０１に特定の衝撃を与えることや、撮像装置６０１からの特定の情報の受信により前記撮影支援終了命令が発行される構成でもよく、この他にも様々な手段が考えられる。
【００９９】
図１２は、ステップＳ１００６に示す被写体情報取得処理の詳細を示している。演算部８０２は、撮像装置６０１から受信した被写体特定情報に被写体を特定する情報が含まれているかどうかを判定する（ステップＳ１２００）。演算部８０２は、被写体を特定する情報が含まれていれば、特定された被写体の被写体情報を取得し（ステップＳ１２０１）、被写体を特定する情報が含まれていなければ、被写体候補リストの全被写体の被写体情報を取得する（ステップＳ１２０２）。
【０１００】
図１３は、ステップＳ１００９に示す被写体位置予測情報演算処理の詳細を示している。演算部８０２は、撮像装置６０１から受信した被写体特定情報に被写体を特定する情報が含まれているかどうかを判定する。演算部８０２は、被写体を特定する情報が含まれていればステップＳ１３０１に示す処理へ移行し、被写体を特定する情報が含まれていなければステップＳ１３０４に示す処理へ移行する（ステップＳ１３００）。
【０１０１】
演算部８０２は、ステップＳ１３００において、被写体特定情報に被写体を特定する情報が含まれていると判定された場合、撮像装置６０１から受信した予測時刻設定情報に予測時刻を特定する情報が含まれているかどうかを判定する（ステップＳ１３０１）。演算部８０２は、予測時刻を特定する情報が含まれていれば、所定の被写体が所定の時刻に存在する位置情報の演算を行い、所定の時刻にリアルタイム映像内に存在する被写体の位置情報を記録部８０１に記録する（ステップＳ１３０２）。
【０１０２】
より具体的には、演算部８０２は、ステップＳ１２０１で取得した被写体情報に基づいて、予測時刻における被写体の位置情報の演算を行う。また、予測時刻における被写体の位置情報に基づいて、第１の実施形態におけるステップＳ４０２〜Ｓ４０４と同様の演算を行う。更に、撮像装置６０１の撮像方向に対するリアルタイム映像の表示範囲と、撮像装置６０１の位置を原点とした時に被写体が存在する仰俯角、方位とに基づいて、リアルタイム映像上の被写体の位置を演算し、予測時刻における被写体のリアルタイム映像内での位置情報を含む被写体位置予測情報を生成する。なお、ステップＳ１３０２で演算される情報は図６（ｅ）で示される情報に対応する。
【０１０３】
演算部８０２は、ステップＳ１３０１において、予測時刻を特定する情報が含まれていなければ、所定の被写体がリアルタイム映像の範囲内に存在する時刻及び位置情報の演算を行い、リアルタイム映像内に存在する被写体の位置情報と存在する時刻情報を記録部８０１に記録する（ステップＳ１３０３）。
【０１０４】
より具体的には、演算部８０２は、ステップＳ１２０１で取得した被写体情報に基づいて、複数の時刻における被写体の位置情報の演算を行う。また、各時刻における被写体の位置情報に基づいて、第１の実施形態におけるステップＳ４０２〜Ｓ４０４と同様の演算を行う。更に、撮像装置６０１の撮像方向に対するリアルタイム映像の表示範囲と、撮像装置６０１の位置を原点とした時に各時刻において被写体が存在する仰俯角、方位とに基づいて、各時刻におけるリアルタイム映像上の被写体の位置を演算し、各時刻における被写体のリアルタイム映像内での位置情報を含む被写体位置予測情報を生成する。なお、ステップＳ１３０３で演算される情報は図６（ｃ）で示される情報に対応する。
【０１０５】
演算部８０２は、ステップＳ１３００において、被写体特定情報に被写体を特定する情報が含まれていないと判定された場合、撮像装置６０１から受信した予測時刻設定情報に予測時刻を特定する情報が含まれているかどうかを判定する（ステップＳ１３０４）。演算部８０２は、予測時刻設定情報に予測時刻を特定する情報が含まれていれば、被写体候補リストの被写体が所定の時刻に存在する位置情報を演算し、所定の時刻にリアルタイム映像内に存在する被写体の位置情報を記録部８０１に記録する（ステップＳ１３０５）。
【０１０６】
より具体的には、演算部８０２は、ステップＳ１２０２で取得した被写体情報に基づいて、予測時刻における各被写体の位置情報の演算を行う。また、予測時刻における各被写体の位置情報に基づいて、第１の実施形態におけるステップＳ４０２〜Ｓ４０４と同様の演算を行う。更に、撮像装置６０１の撮像方向に対するリアルタイム映像の表示範囲と、撮像装置６０１の位置を原点とした時に各被写体が存在する仰俯角、方位とに基づいて、リアルタイム映像上の各被写体の位置を演算し、予測時刻における各被写体のリアルタイム映像内での位置情報を含む被写体位置予測情報を生成する。なお、ステップＳ１３０５で演算される情報は図６（ｂ）で示される情報に対応する。
【０１０７】
演算部８０２は、ステップＳ１３０４において、予測時刻設定情報に予測時刻を特定する情報が含まれていなければ、被写体候補リストの被写体がリアルタイム映像の範囲内に存在する時刻及び位置情報の演算を行い、リアルタイム映像内に存在する被写体の位置情報と存在する時刻情報を記録部８０１に記録する（ステップＳ１３０６）。
【０１０８】
より具体的には、演算部８０２は、ステップＳ１２０２で取得した被写体情報に基づいて、複数の時刻における各被写体の位置情報の演算を行う。また、各時刻における各被写体の位置情報に基づいて、第１の実施形態におけるステップＳ４０２〜Ｓ４０４と同様の演算を行う。更に、撮像装置６０１の撮像方向に対するリアルタイム映像の表示範囲と、撮像装置６０１の位置を原点とした時に各時刻において各被写体が存在する仰俯角、方位とに基づいて、各時刻におけるリアルタイム映像上の各被写体の位置を演算し、各時刻における各被写体のリアルタイム映像内での位置情報を含む被写体位置予測情報を生成する。なお、ステップＳ１３０６で演算される情報は図６（ｄ）で示される情報に対応する。
【０１０９】
このように、撮像装置６０１及び撮影支援装置６０２を利用することにより、所定の被写体が所定の時刻に存在する位置情報をリアルタイム映像に重畳して表示することができる。このため、タイマーを利用した撮影に代表される、所定の時刻に所定の被写体が存在する位置を予測してカメラを仕掛けておく必要がある仕掛け撮りを行う場合においても、容易に構図決定を行うことができるようになる。
【０１１０】
また、時刻ごとに被写体が存在する位置を演算することができるため、より精度の高い被写体の位置情報を演算することができる。
【０１１１】
また、撮像装置６０１の画角を利用して、被写体がリアルタイム映像の範囲内に存在するかどうかの判定が行えるようになるため、リアルタイム映像の範囲内に被写体が存在する場合と、リアルタイム映像の範囲内に被写体が存在しない場合とで、その後の処理方法を変更することができる。
【０１１２】
また、撮像装置６０１は、通信を利用して被写体情報の取得が行えるため、被写体情報取得部を撮像装置６０１に設ける必要がなく、被写体情報を取得する際の負荷が必要なくなる分、処理負荷を低減することができる。
【０１１３】
また、撮像装置６０１は、撮影支援装置６０２に設置された演算部が演算した被写体位置予測情報を取得できることにより、撮像装置６０１の処理は、処理部７０４による表示制御及び通信部７０７による通信制御を行うだけでよいため、撮像装置６０１の処理負荷が低減される。
【０１１４】
（変形例）
本発明の実施形態の説明は以上であるが、本発明は上記二つの実施形態に限定されるものではない。
【０１１５】
例えば、第１の実施形態において、撮像状態変更情報の演算を第２の実施形態のように外部の撮影支援装置６０２に行わせ、この撮影支援装置６０２から撮像状態変更情報を受信しても良く、また第２の実施形態において、被写体位置予測情報の全ての演算を撮像装置６０１で行っても良い。また、どちらも被写体情報取得部から被写体情報を取得しているが、通信部を利用して外部の提供サーバから受信する構成にしても良い。このように、本発明の要旨を逸脱しない場合であれば、構成は上記二つの実施形態に限定されるものではない。
【０１１６】
また、例えば、第２の実施形態における図６（ｅ）のような、被写体が確定している場合においては、所定の時刻の被写体の位置情報がリアルタイム映像の範囲内に存在しないときは被写体が存在する方向をリアルタイム映像に重畳して表示し、所定の時刻の被写体の位置情報がリアルタイム映像の範囲内に存在するときにはその場所や方向をリアルタイム映像に重畳して表示する、第１の実施の形態を利用した通知方法にしても良い。このように、本発明の要旨を逸脱しない場合であれば、被写体の位置を通知する手段は上記二つの実施形態に限定されるものではない。
【０１１７】
また、例えば、第２の実施形態における撮影支援装置６０２を、情報を提供する外部サーバとして構成し、撮像装置が外部サーバにアクセスして情報を取得する際に、外部サーバの管理者に対し対価を支払うような課金制度を設けても良い。
【０１１８】
また、例えば、第２の実施形態における自端末情報取得部は、位置情報、方位情報、仰俯角情報を提供するブロックであるが、撮像装置−撮影支援装置間の距離が十分に近い状況であれば、自端末情報取得部を位置情報取得部、方位情報取得部、仰俯角情報取得部の三つのブロックに分け、撮像装置６０１に方位情報取得部及び仰俯角情報取得部を設け、付帯する撮影支援装置６０２に位置情報取得部を設ける構成にしても良い。
【０１１９】
また、第２の実施形態において、撮像装置−撮影支援装置間の距離が十分に近い状況であれば、撮像装置及び撮影支援装置の構成を、それぞれ図１４、図１５に示すものとしてもよい。図１４に示す撮像装置６０１ａでは、図７に示す撮像装置６０１における自端末情報取得部７０６が設けられていない。図１５に示す撮影支援装置６０２ａでは、図８に示す撮影支援装置６０２の構成に対して自端末情報取得部８０５が追加されている。
【０１２０】
ユーザが撮像装置６０１ａ及び撮影支援装置６０２ａを携帯している状況では、自端末情報取得部８０５は撮像装置６０１ａの自端末情報を取得する。演算部８０２は前述した被写体位置予測情報の演算を行う。
【０１２１】
また、図１４及び図１５に関して以下のようにしてもよい。通信部８０３は、自端末情報取得部８０５によって取得された自端末情報を撮像装置６０１ａへ送信する。撮像装置６０１ａにおいて通信部７０７は自端末情報を受信する。受信された自端末情報は記録部７０５に記録される。また、撮影支援装置６０２ａにおいて、被写体情報取得部８００は、記録部８０１に記録されている被写体リストを読み出し、撮像装置６０１ａの位置に近い被写体を選択する。通信部８０３は、選択された被写体の被写体情報を撮像装置６０１ａへ送信する。撮像装置６０１ａにおいて通信部７０７は被写体情報を受信する。受信された被写体情報は記録部７０５に記録される。処理部７０４は記録部７０５から自端末情報及び被写体情報を読み出し、前述した被写体位置予測情報の演算を行う。
【０１２２】
また、第２の実施形態において、被写体情報の取得を撮像装置６０１で行ってもよい。すなわち、撮影支援装置６０２の通信部８０３は記録部８０１から読み出された被写体リストを撮像装置６０１へ送信する。撮像装置６０１の通信部７０７は被写体リストを受信する。受信された被写体リストは記録部７０５に記録される。処理部７０４は、記録部７０５から被写体リストを読み出し、撮像装置６０１の位置に近い被写体を選択し、その被写体のうち、ユーザによりユーザインタフェース部７０２を利用して選択された被写体の被写体情報を用いて、前述した被写体位置予測情報の演算を行う。
【０１２３】
また、第２の実施形態における撮影支援装置は、撮像装置がインターネットに接続できる環境下においては、図１６に示すようにインターネットで接続可能なサーバであっても良い。また、第１、第２の実施形態において、図１６に示すように撮像装置の自端末情報を、例えばＧＰＳロガーのような、位置情報を測定する外部機器から取得しても良い。
【０１２４】
図１６では、撮像装置６０１ｂは外部機器１６０１から自端末情報を受信し、サーバ１６０２へ送信する。サーバ１６０２は自端末情報に基づいて被写体位置予測情報の演算を行い、演算結果を撮像装置６０１ｂへ送信する。このように、本発明の要旨を逸脱しなければ、構成は上記二つの実施形態に限定されるものではなく、構成要素に増減があっても良い。
【０１２５】
例えば、第１の実施形態では、被写体の存在する位置を、表示部を利用してユーザに通知しているが、図１７に示すように被写体を自動でリアルタイム映像の範囲内におさめる構成にしても良い。図１７は、撮像装置１７００を利用して取得したリアルタイム映像１７０２の範囲内に被写体１７０３が存在しない場合に自動調整部１７０１が被写体１７０３を自動でリアルタイム映像１７０２の範囲内におさめるシステムを表している。
【０１２６】
図１８は、撮像装置１７００のブロック図であり、図２で示されている第１の実施形態における撮像装置１０１のブロック図とほぼ同じであるが、処理部に自動調整部１７０１を加えた構成になっている。自動調整部１７０１は、例えば自動調整が可能な駆動機構を備えた雲台である。自動調整部１７０１は、演算部２０５が演算を行った結果、被写体がリアルタイム映像の表示範囲内に存在しない場合には、被写体の存在する方向と撮像装置１０１の仰俯角、方位とに基づいて撮像装置１７００の向きを調整する。その他の構成については、第１の実施形態で説明した通りである。
【符号の説明】
【０１２７】
１０１，６０１，６０１ａ，６０１ｂ，１７００・・・撮像装置、２００，７００・・・撮像部、２０１，７０１・・・表示部、２０２，７０２・・・ユーザインタフェース部、２０３，７０６，８０５・・・自端末情報取得部、２０４，８００・・・被写体情報取得部、２０５・・・演算部、２０６，７０４・・・処理部（指示部、選択部）、２０７，７０５，８０１・・・記録部（記憶部）、６０２，６０２ａ・・・撮影支援装置、７０３・・・設定部、７０７，８０３・・・通信部（送信部、受信部）、７０８，８０４・・・アンテナ、８０２・・・演算部、１６０１・・・外部機器、１６０２・・・サーバ、１７０１・・・自動調整部
【図１】
2011199750.tif 000003
【図２】
2011199750.tif 000004
【図３】
2011199750.tif 000005
【図４】
2011199750.tif 000006
【図５】
2011199750.tif 000007
【図６】
2011199750.tif 000008
【図７】
2011199750.tif 000009
【図８】
2011199750.tif 000010
【図９】
2011199750.tif 000011
【図１０】
2011199750.tif 000012
【図１１】
2011199750.tif 000013
【図１２】
2011199750.tif 000014
【図１３】
2011199750.tif 000015
【図１４】
2011199750.tif 000016
【図１５】
2011199750.tif 000017
【図１６】
2011199750.tif 000018
【図１７】
2011199750.tif 000019
【図１８】
2011199750.tif 000020